(57)【特許請求の範囲】
【請求項１】
病院内における患者の位置情報を検出する検出装置であって、病院内を区分けした複数のエリアのうちいずれに患者が位置するかを示す位置情報を検出する検出装置と、
前記エリア毎の患者数を、前記検出装置によって検出される患者毎の位置情報に基づいて管理すると共に、
一度の診療で予定される診療項目であって、診療内容毎および手続毎に患者と対応付けて予め記憶装置に記憶される診療項目と、前記検出装置によって検出される患者毎の位置情報に基づいて各患者の前記診療項目のステータスを管理する管理装置と、
前記複数のエリアを含む病院マップと、前記病院マップの各エリアと対応付けて、各エリアにおいて検出される患者を示す患者アイコンと、をタブレット端末の画面上に同時に表示すると共に、病院内にいる特定の患者における実施前の診療項目と対応するエリアが複数ある場合には、複数の前記エリアのうち、患者数が最も少ないエリア、又は、待ち時間が最も少ないエリアを示すグラフィックを、前記特定の患者の移動を案内するためのガイド情報として、前記管理装置において管理される前記特定の患者における未実施の前記診療項目、および、前記管理装置において管理される前記エリア毎の患者数に少なくとも基づいて、前記画面上に更に表示する表示制御装置と、を含む診療支援システム。
【請求項２】
前記表示制御装置は、前記特定の患者を示す前記患者アイコンを前記患者数が最も少ないエリア、又は、待ち時間が最も少ないエリアへ導く前記グラフィックを表示する請求項１記載の診療支援システム。
【請求項３】
病院内における患者の位置情報を検出する検出装置であって、病院内を区分けした複数のエリアのうちいずれに患者が位置するかを示す位置情報を検出する検出装置と、
前記エリア毎の患者数を、前記検出装置によって検出される患者毎の位置情報に基づいて管理すると共に、
一度の診療で予定される診療項目であって、診療内容毎および手続毎に患者と対応付けて予め記憶装置に記憶される診療項目と、前記検出装置によって検出される患者毎の位置情報に基づいて各患者の前記診療項目のステータスを管理する管理装置であって、
前記診療項目のうち患者が複数のエリアを移動することで実施される種類の診療項目については、操作端末への操作に基づいて検査項目のステータスを切換える管理装置と、を含む診療支援システム。
【発明の詳細な説明】
【技術分野】
【０００１】
本開示は、病院内における患者の誘導に利用される診療支援システムに関する。
【背景技術】
【０００２】
従来より、来院した患者へ予定される診療行為を、診療項目ごとに予め登録し、来院時に登録されたデータを用いて診療項目毎のステータス（進捗）を管理するシステムが提案されている（例えば、特許文献１参照）。例えば、特許文献１では、各診療行為が行われる毎に、医師等が所定の端末を介して手動で診療項目を、実施済みの状態に変更する。また、特許文献１では、患者における各診療項目のステータスがモニタ上に表示される。ステータスの表示は、病院内で患者を案内する際に利用される。
【先行技術文献】
【特許文献】
【０００３】
【特許文献１】特開2010-122780号公報
【発明の概要】
【発明が解決しようとする課題】
【０００４】
しかしながら、このようなシステムでは、診療項目のステータスを実施済みに切り替えるために、端末を診療行為の度に端末を操作する必要があるので、手間である。このため、病院内において、運用上、診療ステータスが適正に管理されないおそれが考えられる。その結果、患者の案内に、ステータス情報が活用され難くなってしまうおそれがあった。
【０００５】
本開示は、従来技術の問題点に鑑みてなされたものであり、スムーズに患者の診療を行うことができる診療支援システムを提供することを技術課題とするものである。
【課題を解決するための手段】
【０００６】
本開示の第１態様に係る診療支援システムは、病院内における患者の位置情報を検出する検出装置であって、病院内を区分けした複数のエリアのうちいずれに患者が位置するかを示す位置情報を検出する検出装置と、前記エリア毎の患者数を、前記検出装置によって検出される患者毎の位置情報に基づいて管理すると共に、一度の診療で予定される診療項目であって、診療内容毎および手続毎に患者と対応付けて予め記憶装置に記憶される診療項目と、前記検出装置によって検出される患者毎の位置情報に基づいて各患者の前記診療項目のステータスを管理する管理装置と、前記複数のエリアを含む病院マップと、前記病院マップの各エリアと対応付けて、各エリアにおいて検出される患者を示す患者アイコンと、をタブレット端末の画面上に同時に表示すると共に、病院内にいる特定の患者における実施前の診療項目と対応するエリアが複数ある場合には、複数の前記エリアのうち、患者数が最も少ないエリア、又は、待ち時間が最も少ないエリアを示すグラフィックを、前記特定の患者の移動を案内するためのガイド情報として、前記管理装置において管理される前記特定の患者における未実施の前記診療項目、および、前記管理装置において管理される前記エリア毎の患者数に少なくとも基づいて、前記画面上に更に表示する表示制御装置と、を含む。
【０００７】
本開示の第２態様に係る診療支援システムは、病院内における患者の位置情報を検出する検出装置であって、病院内を区分けした複数のエリアのうちいずれに患者が位置するかを示す位置情報を検出する検出装置と、前記エリア毎の患者数を、前記検出装置によって検出される患者毎の位置情報に基づいて管理すると共に、一度の診療で予定される診療項目であって、診療内容毎および手続毎に患者と対応付けて予め記憶装置に記憶される診療項目と、前記検出装置によって検出される患者毎の位置情報に基づいて各患者の前記診療項目のステータスを管理する管理装置であって、前記診療項目のうち患者が複数のエリアを移動することで実施される種類の診療項目については、操作端末への操作に基づいて検査項目のステータスを切換える管理装置と、を含む。
【図面の簡単な説明】
【０００８】
【図１】本実施形態に係る診療支援システムの概略構成を示す図である。
【図２】病院のレイアウトの一例を示す図である。
【図３】表示部におけるガイド表示の一例を示す図である。
【発明を実施するための形態】
【０００９】
以下、本開示に係る診断支援システムの一実施形態を、図面に基づいて説明する。図１に、実施形態に係る診断支援システム１の概略構成を示す。診断支援システム１は、病院内における患者の誘導に利用される。診断支援システム１は、患者位置検出装置１０と、パーソナルコンピュータ（本実施形態における管理装置、以下「ＰＣ」と省略する）２０と、表示部３０と、を含む。各部材は、有線または無線で、相互に接続されている。
【００１０】
患者位置検出装置１０は、病院内における患者の位置情報を検出する。位置情報は、複数のエリアに区分けされた病院内において、患者が、いずれのエリアに位置するかを示している。例えば、病院内における部屋、および通路が、それぞれ１つのエリアと対応するように、病院内のエリアが区分けされてもよい。また、１つのエリアが、隣接する複数の部屋、複数の通路、または、部屋と通路との組み合わせ、のいずれかと対応するように区分けされてもよい。
【００１１】
ここで、図２は、眼科医院のレイアウトの一例である。図２の例では、受付および待合室１０１、診察室１０２、処置室１０３、撮影室（又は検査室）１０４〜１０６等の複数の部屋が病院内に設けられている。各部屋では、各部屋の目的および設備（例えば、検眼機器）に応じた診療行為および手続が行われる。このため、患者の位置情報によって、各患者に行われる診療内容等を確認することができる。
【００１２】
患者位置検出装置１０は、例えば、病院内にいる患者を非接触で検出する複数のセンサ１１と、患者の位置の特定と、患者の識別とを各センサ１１からの検出結果に基づいて行う処理装置１２と、を含んでいてもよい。各センサ１１処理装置１２とは、有線または無線で接続されており、ネットワークを介してセンサ１１から処理装置１２へデータを伝送できる。
【００１３】
例えば、図１に示すように、病院内では患者に識別子（例えば、ＲＦＩＤタグや磁気カード等の記憶媒体）を持たせ、この識別子に記憶される患者識別情報（例えば、患者のＩＤ等）を読み取るために、予め病院内の各エリアに予め配置されるリーダが、センサ１１として利用されてもよい。リーダは、例えば、各エリアの出入り口付近に設置されていてもよい。また、識別子を受付時に患者に配布する場合は、受付付近にリーダが配置されていてもよい。患者に識別子を持たせる検出方式では、センサ１１で識別子に格納された情報が読み取られる度に、センサ識別情報と、センサ１１で検出される患者識別情報とが、互いに対応付けられて処理装置１２へ送信される。なお、センサ識別情報は、病院内に設けられた複数のリーダの中で、識別子を読み取ったリーダを特定する情報である。処理装置１２は、センサ１１（この場合は、リーダ）から送信されるセンサ識別情報および患者識別情報に基づいて、患者が位置するエリアの特定と、患者の識別とを行うことができる。この場合、処理装置１２は、例えば、各センサ１１が配置されているエリアとセンサ識別情報とが予め対応づけられたルックアップテーブルなどを参照して、患者が位置するエリアを特定してもよい。ある患者の患者識別情報が検出されるセンサ１１が、異なる位置に配置されるものに切り替わることで、その患者の位置が、エリアをまたいで移動したことが確認される。
【００１４】
このような処理装置１２としては、例えば、汎用のコンピュータを用いることができる。例えば、本実施形態では、ＰＣ２０によって、処理装置１２が兼用されてもよい。位置検出装置１０の具体例として、上記のようにＲＦＩＤが利用される場合について説明する。ＲＦＩＤは、例えば、受付の際に、患者に手渡される。
【００１５】
但し、患者位置検出装置１０は、上記実施例に限定されるものではない。例えば、患者に屋内ＧＰＳ端末をセンサ１１として持たせてもよい。この場合、病院内における患者の位置情報が屋内ＧＰＳ端末で取得され、そのデバイスから処理装置１２へ位置情報が送信される構成であってもよい。また、患者位置検出装置１０は、患者に持たせた識別子またはデバイスを利用して患者の位置を検出する方式に限られるものではない。例えば、病院内の各エリアに予め設けられた複数のビデオカメラをセンサ１１として利用してもよい。この場合、ビデオカメラで得られる画像が、処理装置１２に送られ、処理装置１２で画像が処理されることによって患者位置が検出される構成であってもよい。この場合、人認識技術、および、顔認識技術を用いて、病院内の患者の位置検出と、患者の特定とが行われてもよい。
【００１６】
ＰＣ２０は、各患者における診療項目のステータス管理を行う。また、各エリアの患者数を管理する。診療項目は、一度の診療で予定される診療内容および手続を示す。また、本実施形態において、診療項目は予め定められている。診療内容を示す診療項目は、例えば、検査、撮影、および診断のいずれかに関する項目を含む。また、手続を示す診療項目は、例えば、受付、会計、および薬の授与等の手続のうちいずれかを示す。もちろん、診療項目は、より詳細に細分化されていてもよい。
【００１７】
診療項目のステータス管理には、例えば、診療時に予定される診療項目が患者毎に登録されたデータベースが用いられてもよい。データベースを記憶する記憶装置は、例えば、ＰＣ２０に設けられたハードディスク（ＨＤＤ）等の不揮発性の記憶媒体であってもよい。また、例えば、ネットワークを介してＰＣと接続されるサーバ上の記憶装置であってもよい。例えば、来院予約の際に、医師等が図示無き入力端末を操作することによって、来院時における診療内容に対応した診療項目が１つ以上選択され、これによって、データベースへの診療項目の登録が行われてもよい。その結果、診療項目は、診療内容および手続き毎に、患者と対応づけて（例えば、患者のＩＤと対応付けて）、記憶装置に記憶される。
【００１８】
各診療項目のステータス（状態）は、例えば、「実施前」と「完了」との少なくとも２種類に切り替わる。このほかに、適宜、「実施中」等の状態が設定されてもよい。詳細は後述するが、診療項目のステータスは、例えば、患者位置検出装置１０から取得される患者の位置情報が変化することに伴って行われる。例えば、「医師の診察」という診療項目が設定されている場合において、該診療項目のステータスの初期値は、「実施前」に設定されている。この診療項目のステータスは、例えば、患者が診察室１０２に位置することを示す位置情報が取得された後、更に、診療室１０２以外の位置に位置することを示す位置情報が取得されることによって、「完了」の状態に切り替えられる。即ち、各診療項目と対応するエリアに対する患者の出入りに基づいて、診療項目のステータスが管理される。
【００１９】
但し、予め設定された一部の診療項目については、患者の位置情報に関わらず、手動で状態が切換えられてもよい。手動で状態が切換えられる診療項目としては、例えば、患者が複数のエリアを移動することで実施される種類の診療項目であってもよい。このような診療項目の典型例は、例えば、患者が一定時間待機する必要がある診断内容等である。具体例として、眼科において散瞳撮影が行われる場合は、処置室１０３等で散瞳剤が点眼されてから１０〜１５分程度の時間を空けて、撮影室１０４〜１０６での撮影が行われる。点眼から撮影室１０４〜１０６へ導かれるまでの待機時間については、例えば、患者を待合室１０１等の待機エリアで待機させることが考えられる。このような場合に、例えば、待機エリアでの患者の位置情報が検出されることによって、診療項目のステータスが「完了」に勝手に切り替えられてしまうことは望ましくない。そこで、一部の診療項目のステータスについては、患者の位置情報に関わらず、手動で状態が切換えられるように設定されていてもよい。この場合、診療項目のステータスの切換は、ＰＣ２０の操作部または、ＰＣ２０とネットワークで接続される端末（例えば、表示部３０）等への操作に基づいて行われてもよい。
【００２０】
また、ＰＣ２０は、患者位置検出装置１０で検出された患者位置情報を、随時取得する。そして、エリア毎の患者数をリアルタイムで集計する。これにより、エリア毎の患者数がＰＣ２０によって管理される。
【００２１】
また、本実施形態では、ＰＣ２０は、患者位置検出装置１０から取得される位置情報に基づいて、それぞれの患者の待ち時間をカウントする。待ち時間のカウントは、例えば、診療項目のステータスが前回切り替えられたタイミングから開始されてもよい。また、例えば、位置情報が検出されるエリアが切換ったタイミングから、カウントが開始されてもよい。そして、例えば、現在位置が検出されるエリアでの経過時間が閾値よりも多い患者を検出してもよい。また、例えば、経過時間の多い患者から順位をつけてもよい。これにより、早急に次の診療へ誘導されるべき患者が識別可能となる。
【００２２】
図３に示すように、表示部３０では、病院内にいる特定の患者の移動を案内するためのガイド情報が、ＰＣ２０において管理される特定の患者における実施前の診療項目、および、エリア毎の患者数に少なくとも基づいて画面上に表示される。本実施形態において、表示部３０の表示制御は、ＰＣ２０（より詳細には、ＰＣ２０の制御部）によって行われるものとする。但し、必ずしもこれに限られるものではなく、表示部３０に、表示制御部が設けられていてもよい。
【００２３】
ＰＣ２０のモニタ３１が、表示部３０として利用されてもよい。また、各エリアに配置される複数のモニタ３２が、それぞれ表示部３０として利用されてもよい。このようなモニタは、タッチパネルであってもよい。より詳細には、各エリアの看護師等に持たせるタブレット端末であってもよい。
【００２４】
特定の患者は、例えば、待ち時間が一定時間（閾値）を超えたことがＰＣ２０によって検出された患者であってもよいし、例えば、各エリアにいる患者のなかで、各エリアでの経過時間がより多い患者であって、診療項目のステータスが「実行前」になっている患者であってもよい。また、必ずしもこれに限られるものではない。また、表示部３０がタッチパネルである場合、表示部３０を介して、看護師等が、病院内にいる患者のなかかから、特定の患者を選択してもよい。
【００２５】
ガイド情報は、特定の患者に、次の診療または手続を行わせるための参考となる情報である。
本実施形態では、一例として、モニタ３０に、例えば、患者が検出される各エリアを含む病院マップが、表示される。
また、ガイド情報の一例として、病院マップの各エリアに対応付けて、各エリアにおける予想待ち時間に関する情報が表示される。例えば、各エリアの患者数を示すグラフィックが表示されてもよい。グラフィックは、患者数を示す数字であってもよいし、それぞれの患者を個別にアイコンで示すことにより、患者アイコンの数で、患者数が示されてもよい。また、ガイド情報の一つとして、各エリアでの予想待ち時間を示す数値を、表示部３０へ表示させてもよい。各エリアの予想待ち時間は、例えば、各エリアにて待機中の患者数と、各エリアで同時に診療および手続きが可能な患者数と、そのエリアでの平均診療時間と、に基づいて算出されてもよい。
【００２６】
また、ガイド情報の一つとして、特定の患者における「実施前」の診療項目が表示される。表示される診療項目の内容と、その診療項目が実施されるエリアにおける患者数および予想待ち時間のいずれかを画面上で確認することにより、看護師等は、特定の患者における「実施前」の診療項目のうち、比較的待ち時間の少ないものを把握できる。その結果、その待ち時間の少ない診療または手続が可能なエリアへ、特定の患者を案内することができる。
【００２７】
また、特定の患者における実施前の診療項目と対応するエリアが複数ある場合に、優先的に患者を誘導すべきエリアが、ガイド情報の一つとして直接的に示されてもよい。例えば、図３の受付から第２撮影室１０５へ導く矢印等のグラフィックが用いられてもよい。この場合に示されるエリアは、例えば、「実施前」の診療項目と対応する複数のエリアにおけるエリア毎の患者数に基づいて選択される。また、例えば、「実施前」の診療項目と対応する各エリアのうち、患者数の最も少ないエリア、又は、待ち時間が最も少ないエリアを示す表示が行われてもよい。或いは、患者数が閾値以下、又は、待ち時間が閾値以下となっているエリアを示す表示が行われてもよい。
【００２８】
表示部３０に表示されるガイド情報に基づいて、看護師等が、その特定の患者の誘導を行うことによって、スムーズに各患者の診療または手続を行うことができる。
【００２９】
以上、実施形態に基づいて説明を行ったが、本開示は、必ずしも上記実施形態に限定されるものではなく、種々の変形が可能である。例えば、上記実施形態では、病院内にいる特定の患者の移動を案内するためのガイド情報が、未実施の前記診療項目と、エリア毎の患者数に基づいて表示部３０に表示される場合について説明したが、更に、エリア毎の患者数に加え、或いは、替えて、機器毎の患者数に基づいて表示部３０に表示されてもよい。例えば、１つのエリアで、複数人の診療が同時に行われる場合であっても、使用する機器が患者間でバッティングすることによって、効率よく診療を進めることができない場合が考えられる。これに対し、機器毎の患者数に基づいてガイド情報が表示部３０に表示されることで、各患者の診療をスムーズに行うことができる。なお、この場合、診療項目は、機器に対応づけて設定される。また、機器の使用時に、自動的に、或いは、手動で、診療項目のステータスを、「実施前」から「実施済み」に切り替えるための信号が、機器からＰＣ２０へ送信される。この信号に基づいて、ＰＣ２０は、診療項目のステータスを管理できる。
【符号の説明】
【００３０】
１０      患者位置検出装置
２０      パーソナルコンピュータ
３０      表示部
【図１】
0006668715.tif 000002
【図２】
0006668715.tif 000003
【図３】
0006668715.tif 000004